(57)【要約】【課題】異なる充電方法の電池を最適な充電方法プログラムを選択、設定ことのできる蓄電池充電装置を提供する。【解決手段】充電方法の異なる電池の充電を行うための複数の充電制御プログラムを格納する充電制御マイコンと、充電制御を操作する操作部と充電状態を表示する表示部とを備え、操作部の操作もしくは表示部の操作することにより、充電する電池に最適な充電制御プログラムを選択、設定して、電池に最適な充電をすることができる。【選択図】  図１
2010207009.tif 000002
【特許請求の範囲】
【請求項１】
充電装置の操作手段で、充電条件の異なる蓄電池の充電を行うための複数の充電制御プログラムを選択する手段と兼用する蓄電池充電装置。
【請求項２】
充電状態の表示手段を、充電条件の異なる蓄電池の充電を行うための複数の充電制御プログラムを選択する手段と兼用する蓄電池充電装置。
【請求項３】
前記充電状態の表示手段で、選択された蓄電池の充電制御プログラムを表示できる請求項１、２に記載の蓄電池充電装置。
【発明の詳細な説明】
【技術分野】
【０００１】
本発明は、蓄電池装置に係り、特に異なる充電条件の蓄電池を交換して使用される蓄電池充電方法に好適に利用できるものである。
【背景技術】
【０００２】
従来の蓄電池を利用した車両（ゴルフカート、フォークリフト）の充電方法は電池電圧、充電電流、電池の周辺温度の検出と充電時間計測を行い、充電する電池に最適な定電流充電、定電圧充電を組み合わせて、充電終了および電池の充電不良等の条件判断を主にマイコンにて制御している。（例えば、特許文献１参照。）
【特許文献１】特開２００１−３５５４０号公報（図１、図３）
【発明の開示】
【発明が解決しようとする課題】
【０００３】
しかしながら、前記従来車両に組み込まれた充電器の構成では、異なる充電条件の蓄電池への変更（たとえば、特許文献１  図２の充電方式フローチャートにより説明すると、開放型鉛蓄電池では、図３のブロック図にある、温度センサが装着されておらず、よって、充電電流の切り替え電圧は、固定したおのおののステップで指定された電圧値で充電電流切り替えいるが、密閉型鉛蓄電池の場合には、図３のブロック図にある、温度センサにより、電池温度を検出して、充電電流の切り替え電圧を６セル公称１２Ｖ電池の場合、Vｓ＝１４.４＋０．０３（２５−Ｔ）の計算式より算出して充電電流を切り替え、また、充電電流もより細かく設定し、最少充電電流で一定時間充電して充電を終了する際の時間設定も、第１、第２ステップでの充電時間と電池温度により設定される充電時間により細かく時間設定を行い、電池の充放電サイクル寿命を延ばす様になっている。）このような充電制御のための最適な充電手順をマイコンのプログラムとして新たに書き換えるか、電池の最適な充電手順をあらかじめマイコンのＲＯＭにメモリされているプログラムを選択するため、充電器のケースを開けて、制御基板ジャンパー設定を変更するなど、煩雑な手順を必要とするという課題を有していた。
本発明は、前記従来の課題を解決するもので、あらかじめ使用される異なる蓄電池の最適充電手順のプログラムを充電制御マイコンにメモリして、充電制御操作手段や表示手段で使用される蓄電池の充電プログラムを選択、設定を可能とした蓄電池充電装置を提供することを目的とする。
【課題を解決するための手段】
【０００４】
前記従来の課題を解決するために、本発明の蓄電池充電装置は、充電条件の異なる蓄電池（例えば開放型鉛蓄電池と密閉型鉛蓄電池）の充電を行うための複数の充電制御プログラムと、充電状態の操作手段を、前記異なる蓄電池の充電制御プログラムを選択する手段と兼用することを特徴としたものである。
また、本発明は、前記充電状態の表示手段で、選択された蓄電池の充電制御プログラムを表示できることを特徴としたものである。
さらに、蓄電池充電装置において、充電状態の表示手段で、選択された蓄電池の充電制御プログラムを表示できることを特徴としたものである。
【発明の効果】
【０００５】
本発明の蓄電池充電装置によれば、充電方法の異なる蓄電池を交換しても、最適な充電制御プログラムを選択、設定が容易に出来ることにより、鉛蓄電池以外のＮｉＣｄ電池、ＮｉＨ電池、リチウム電池に併用使用する際にも容易となる。
【発明を実施するための最良の形態】
【０００６】
以下に、本発明の蓄電池充電装置の実施の形態を図面とともに詳細に説明する。
【０００７】
（実施の形態１）
図１は、本発明の第１の実施の形態における蓄電池充電装置の回路図を示す。
図１においては、ゴルフカートの充電装置を想定しており、操作部のカート電源SW１と充電ＳＷ２である。例えば、カート電源ＳＷ１と充電ＳＷ２を同時に１０秒以上継続した場合に電池の選択設定モードとなり、表示部のＬＥＤ４とＬＥＤ５が連続点灯もしくは点滅することに上記選択設定モードであることを表示し、表示部ＬＥＤ６、ＬＥＤ７の点灯表示により、現在選択設定されている電池の種類を表示する。
【０００８】
次に、充電ＳＷ２を押すことにより、電池の種類が変更され、表示部ＬＥＤ６、ＬＥＤ７の点灯表示が変化して、充電プログラムが変更される。
【０００９】
この後、充電ＳＷ２を５秒以上継続した場合に電池の選択設定モードを解除して、通常のカートを使用もしくは充電出来る状態に戻り、充電ＳＷ２を押すことにより、充電を開始して、選択、設定された電池に最適な充電方法により、充電が可能になる。
【００１０】
以上のように、実施の形態１においては、従来の蓄電池充電装置を変更することなく、
マイコンシステムの変更により、異なる充電方法の電池に最適な充電プログラムを選択、設定することができる。
【００１１】
（実施の形態２）
図２は、本発明の実施の形態２の蓄電池充電装置の回路図を示す。図２において、操作部に電池の選択、設定用ＳＷ３で、実施の形態１と異なるところは設定用ＳＷ３を追加し、
確実に、電池の選択、設定をする事ができる。
【００１２】
（実施の形態３）
図３は、本発明の実施の形態３の蓄電池充電装置の回路図を示す。図３において、操作部に電池の選択、設定用のショートジャンパーで、実施の形態２と異なるところは、ショートジャンパーを挿入するだけで、電池の選択、設定をする事ができる。
【００１３】
（実施の形態４）
図４は、本発明の実施の形態４の蓄電池充電装置の回路図を示す。図４において、表示部に電池の選択、設定用のＳＷ４で、実施の形態２と異なるところは、表示用ＬＥＤのカソード電圧がＬレベルになることで、マイコンのＡＤコンバータで電池の選択、設定モードであることを検出する事ができる。
【００１４】
（実施の形態５）
図５は、本発明の実施の形態４の蓄電池充電装置の回路図を示す。図４において、表示部に電池の選択、設定用のショートジャンパーで、実施の形態３と異なるところは、表示用ＬＥＤのカソード電圧がＬレベルになることで、マイコンのＡＤコンバータで電池の選択、設定モードであることを検出する事ができる。
【産業上の利用可能性】
【００１５】
本発明にかかる蓄電池充電装置、充電手順の異なる電池を最適な充電を行う機能を有し、充電方法の異なる電池に変更しても、容易に最適な充電方法に対応した充電プログラムに容易に選択、設定する車両用充電装置として有用である。
【００１６】
本発明にかかる蓄電池充電装置は、充電方法の異なる電池を新たに併用使用する場合に最適な充電を行う充電器が必要な用途にも適用できる。
【図面の簡単な説明】
【００１７】
【図１】本発明の実施の形態１における蓄電池充電装置の回路図
【図２】本発明の実施の形態２における蓄電池充電装置の回路図
【図３】本発明の実施の形態３における蓄電池充電装置の回路図
【図４】本発明の実施の形態４における蓄電池充電装置の回路図
【図５】本発明の実施の形態５における蓄電池充電装置の回路図
【符号の説明】
【００１８】
１・・・  操作部  カート電源ＳＷ１
２・・・  操作部  充電ＳＷ２
３・・・  表示部  ＬＥＤ４
４・・・  表示部  ＬＥＤ５
５・・・  表示部  ＬＥＤ６
６・・・  表示部  ＬＥＤ７
７・・・  サーミスタ
８・・・  操作部  設定ＳＷ３
９・・・  操作部  設定用  ショートジャンパー
１０・・・  表示部  設定ＳＷ４
１１・・・  表示部  設定用  ショートジャンパー
【図１】
2010207009.tif 000003
【図２】
2010207009.tif 000004
【図３】
2010207009.tif 000005
【図４】
2010207009.tif 000006
【図５】
2010207009.tif 000007